(57)【要約】【課題】  良好な通信を行うことができる撮影装置を提供する。【解決手段】  撮影装置は、第１アンテナ（５２）と、第１センサ（５５）と、第２アンテナ（５３）と、第２センサ（５６）と、制御部（２６）とを含む。第１アンテナは、撮影に必要な情報の通信に用いられる。第２アンテナは、第１アンテナと間隔を隔てて備えられ撮影に必要な情報の通信に用いられる。第１センサは、第１アンテナに対応して備えられ第１アンテナに近接する物体を検出する。第２センサは、第２アンテナに対応して備えられ第２アンテナに近接する物体を検出する。制御部は、第１センサ及び第２センサの少なくとも一方から出力された信号を用いて、第１アンテナ及び第２アンテナの少なくとも一方を選択して通信に必要な制御を行う。【選択図】    図１
2011091633.tif 000002
【特許請求の範囲】
【請求項１】
撮影情報の通信に用いられる第１アンテナと、
前記第１アンテナと間隔を隔てて備えられ撮影情報の通信に用いられる第２アンテナと、
前記第１アンテナに対応して備えられ前記第１アンテナに近接する物体を検出する第１センサと、
前記第２アンテナに対応して備えられ前記第２アンテナに近接する物体を検出する第２センサと、
前記第１センサ及び前記第２センサの少なくとも一方から出力された信号を用いて、前記第１アンテナ及び前記第２アンテナの少なくとも一方を選択して通信に必要な制御を行う制御部とを含むことを特徴とする撮影装置。
【請求項２】
請求項１に記載された撮影装置であって、
撮影光学系を保持するレンズ鏡筒と、
前記レンズ鏡筒に接続可能なカメラボディとを有し、
前記第１アンテナ及び前記第２アンテナの少なくとも一方は、前記レンズ鏡筒に備えられていることを特徴とする撮影装置。
【請求項３】
請求項２に記載された撮影装置であって、
前記第１アンテナ及び前記第２アンテナの少なくとも一方は、前記レンズ鏡筒の被写体側の部分に備えられていることを特徴とする撮影装置。
【請求項４】
請求項３に記載された撮影装置であって、
前記レンズ鏡筒は、前記撮影光学系を囲む円筒部分と、前記円筒部分の端面とを有し、
前記第１アンテナ及び前記第２アンテナの少なくとも一方は、前記端面に備えられていることを特徴とする撮影装置。
【請求項５】
請求項２から請求項４までの何れか１項に記載された撮影装置であって、
前記撮影光学系を操作するために操作方向に移動可能な操作部材を有し、前記第１アンテナ及び前記第２アンテナは、前記操作部材の操作方向に沿って間隔を隔てて備えられていることを特徴とする撮影装置。
【請求項６】
請求項２から請求項４までの何れか１項に記載された撮影装置であって、
撮影状態を確認するための指標を有し、前記第１アンテナ及び前記第２アンテナは、前記指標の近傍に間隔を隔てて備えられていることを特徴とする撮影装置。
【請求項７】
請求項１に記載された撮影装置であって、
撮影光学系を保持するレンズ鏡筒と、
前記レンズ鏡筒に接続可能なカメラボディとを有し、
前記第１アンテナ及び前記第２アンテナの少なくとも一方は、前記カメラボディに備えられていることを特徴とする撮影装置。
【請求項８】
請求項７に記載された撮影装置であって、
前記カメラボディは、撮影者が覗き込む光学的なファインダを有し、
前記第１アンテナ及び前記第２アンテナの少なくとも一方は、前記ファインダの近傍に備えられ、
前記第１センサ及び前記第２センサの少なくとも一方は、前記撮影者が前記ファインダを覗き込んだか否かを検出するセンサであることを特徴とする撮影装置。
【請求項９】
請求項１から請求項８までの何れか１項に記載された撮影装置であって、
前記第１センサ及び前記第２センサは、光量を検出する光量検出センサ、圧力を検出する圧力センサ、及び、静電容量を検出する静電容量センサのうち少なくとも１つであることを特徴とする撮影装置。
【発明の詳細な説明】
【技術分野】
【０００１】
本発明は、撮影装置に関する。
【背景技術】
【０００２】
従来、撮影装置の１つである電子カメラには、無線通信機能を有する機種がある（例えば、特許文献１参照）。無線通信機能を有する電子カメラが外部の機器と無線通信を行う場合、撮影者の手がアンテナを覆うと、アンテナ特性は劣化することが知られている。
【０００３】
そこで、特許文献１の電子カメラは、複数のアンテナを有し、複数のアンテナのうちで最もアンテナ感度が良いアンテナを選択して外部の機器と無線通信を行う。
【先行技術文献】
【特許文献】
【０００４】
【特許文献１】特開２００６−２１７１７４号公報
【発明の概要】
【発明が解決しようとする課題】
【０００５】
しかし、特許文献１の電子カメラでは、アンテナ毎にアンテナ感度を計測するため、その分、無線通信を開始するまでの時間がかかると共に電力を消費してしまうという問題が生じる。
【０００６】
本発明の課題は、良好な通信を行うことができる撮影装置を提供することである。
【課題を解決するための手段】
【０００７】
本発明は、以下のような解決手段により前記課題を解決する。なお、理解を容易にするために、本発明の一実施例を示す図面に対応する符号を付して説明するが、これに限定されるものではない。なお、符号に付して説明した構成は適宜改良してもよく、また、少なくとも一部を他の構成物に代替してもよい。
【０００８】
請求項１に記載の発明は、第１アンテナ（５２）と、第２アンテナ（５３）と、第１センサ（５５）と、第２センサ（５６）と、制御部（２６）とを含む。第１アンテナ（５２）は、撮影情報の通信に用いられる。第２アンテナ（５３）は、第１アンテナ（５２）と間隔を隔てて備えられ撮影情報の通信に用いられる。第１センサ（５５）は、第１アンテナ（５２）に対応して備えられ第１アンテナ（５２）に近接する物体を検出する。第２センサ（５６）は、第２アンテナ（５３）に対応して備えられ第２アンテナ（５３）に近接する物体を検出する。制御部（２６）は、第１センサ（５５）及び第２センサ（５６）の少なくとも一方から出力された信号を用いて、第１アンテナ（５２）及び第２アンテナ（５３）の少なくとも一方を選択して通信に必要な制御を行う。
【０００９】
請求項２に記載の発明は、請求項１に記載の発明であって、撮影光学系（５１）を保持するレンズ鏡筒（５０）と、レンズ鏡筒（５０）に接続可能なカメラボディ（１００）とを有する。第１アンテナ（５２）及び第２アンテナ（５３）の少なくとも一方は、レンズ鏡筒（５０）に備えられている。
【００１０】
請求項３に記載の発明は、請求項２に記載の発明であって、第１アンテナ（５２）及び第２アンテナ（５３）の少なくとも一方は、レンズ鏡筒（５０）の被写体側の部分に備えられている。
【００１１】
請求項４に記載の発明は、請求項３に記載の発明であって、レンズ鏡筒（５０）は、撮影光学系（５１）を囲む円筒部分（５０ｂ）と、円筒部分の端面（５０ａ）とを有する。第１アンテナ（５２）及び第２アンテナ（５３）の少なくとも一方は、端面（５０ａ）に備えられている。
【００１２】
請求項５に記載の発明は、請求項２から請求項４までの何れか１項に記載の発明であって、撮影光学系（５１）を操作するために操作方向に移動可能な操作部材（７２）を有し、第１アンテナ（７５）及び第２アンテナ（７７）は、操作部材（７２）の操作方向に沿って間隔を隔てて備えられている。
【００１３】
請求項６に記載の発明は、請求項２から請求項４までの何れか１項に記載の発明であって、撮影状態を確認するための指標（８１）を有し、第１アンテナ（８２）及び第２アンテナ（８３）は、指標（８１）の近傍に間隔を隔てて備えられている。
【００１４】
請求項７に記載の発明は、請求項１に記載の発明であって、撮影光学系（５１）を保持するレンズ鏡筒（５０）と、レンズ鏡筒（５０）に接続可能なカメラボディ（１００）とを有する。第１アンテナ（５２）及び第２アンテナ（５３）の少なくとも一方は、カメラボディ（１００）に備えられている。
【００１５】
請求項８に記載の発明は、請求項７に記載の発明であって、カメラボディ（１００）は、撮影者が覗き込む光学的なファインダ（１３）を有する。第１アンテナ及び第２アンテナの少なくとも一方（２５）は、ファインダ（１３）の近傍に備えられる。第１センサ（５５）及び第２センサ（５６）の少なくとも一方は、撮影者がファインダ（１３）を覗き込んだか否かを検出するセンサ（２３）である。
【００１６】
請求項９に記載の発明は、請求項１から請求項８までの何れか１項に記載の発明であって、第１センサ（５５）及び第２センサ（５６）は、光量を検出する光量検出センサ、圧力を検出する圧力センサ、及び、静電容量を検出する静電容量センサのうち少なくとも１つである。
【発明の効果】
【００１７】
本発明によれば、良好な通信を行うことができる撮影装置を提供することができる。
【図面の簡単な説明】
【００１８】
【図１】電子カメラ１の内部構成を説明するブロック図
【図２】電子カメラ１の筐体の正面図及び背面図
【図３】電子カメラ１を上から見た筐体の平面図
【図４】電子カメラ１の動作の一例を示すフローチャート
【図５】第１変形例における電子カメラ１の筐体の正面図
【図６】第２変形例における電子カメラ１の筐体の側面図
【図７】第３変形例を説明する図
【図８】第４変形例を説明する図
【図９】第５変形例を説明する図
【発明を実施するための形態】
【００１９】
以下、図面に基づいて本発明の実施の形態を詳細に説明する。図１は、本発明の撮影装置の一実施形態である電子カメラ１の内部構成を説明するブロック図である。
【００２０】
電子カメラ１は、例えば一眼レフレックスタイプの電子カメラであり、カメラボディ１００とレンズ鏡筒５０とを有している。カメラボディ１００は、レンズ鏡筒５０に接続可能であり、レンズ鏡筒５０は、撮影光学系５１を保持する。具体的には、レンズ鏡筒５０は、被写体光をカメラボディ１００に導くために、カメラボディ１００の前面に形成されたレンズマウント１００ａに着脱自在に取り付けられる。なお、レンズ鏡筒５０の装着時には、カメラボディ１００とレンズ鏡筒５０とがレンズマウント１００ａの接点を介して電気的に接続される。
【００２１】
レンズ鏡筒５０は、撮影光学系５１と、第１アンテナ５２と、第２アンテナ５３と、レンズ側ＣＰＵ（Ｃｅｎｔｒａｌ  Ｐｒｏｃｅｓｓｉｎｇ  Ｕｎｉｔ）５４と、第１センサ５５と、第２センサ５６とを備える。
【００２２】
撮影光学系５１は、複数枚のレンズや絞りにより構成されている。第１アンテナ５２及び第２アンテナ５３は、無線通信用のアンテナであって、撮影画像や撮影に必要な情報の通信に用いられる。ここで、撮影情報（撮影画像情報及び撮影に必要な情報）は、例えば、撮影画像の情報、焦点距離に関連する情報、絞りに関連する情報、レリーズタイミングに関連する情報、被写体に関連する情報、撮影者に関する情報等を含む。なお、無線通信用のアンテナは、例えば、小型のチップアンテナである。
【００２３】
第１センサ５５は、第１アンテナ５２に対応してその第１アンテナ５２の近傍に備えられる。そして、第１センサ５５は、第１アンテナ５２に近接する物体を検出する。また、第２センサ５６は、第２アンテナ５３に対応してその第２アンテナ５３の近傍に備えられる。そして、第２センサ５６は、第２アンテナ５３に近接する物体を検出する。第１センサ５５及び第２センサ５６には、例えば、光量を検出する照度センサ（例えば、光量検出センサ）が用いられる。本実施形態では、例えば、第１センサ５５（第２センサ５６）の出力がない場合、撮影者の手で第１センサ５５（第２センサ５６）が覆われていることを意味する。なお、第１アンテナ５２、第２アンテナ５３、第１センサ５５及び第２センサ５６の位置関係については、図２、図３を用いて後述する。
【００２４】
レンズ側ＣＰＵ５４は、第１センサ５５及び第２センサ５６の出力をデジタル値に換算して、後述するＣＰＵ２６に送信する。
【００２５】
カメラボディ１００は、クイックリターンミラー１１、ペンタダハプリズム１２と、ファインダ１３と、撮像部１４と、信号処理部１５と、画像処理部１６と、ＲＡＭ１７と、ＲＯＭ１８と、表示モニタ１９と、記録インターフェース部（以下、「記録Ｉ／Ｆ部」という。）２０と、操作部２１と、レリーズ釦２２と、接眼検出部２３と、無線通信回路２４と、第３アンテナ２５と、ＣＰＵ２６と、バス２７とを備える。なお、第３アンテナ２５も、第１アンテナ５２と第２アンテナ５３と同様、無線通信用のアンテナである。
【００２６】
クイックリターンミラー１１は、図中、撮影光学系５１から撮像部１４に向けて描かれた点線で示す光軸上に回動自在に設けられる。ここで、クイックリターンミラー１１は、被写体の撮影を行わない場合、被写体光を反射させてペンタダハプリズム１２に導く。この場合、ペンタダハプリズム１２は、被写体光を反射させてファインダ１３に導く。ファインダ１３は、撮影者が覗き込む光学的なファインダであって、撮影者は、ファインダ１３を介して被写体の構図等を判断することができる。
【００２７】
一方、被写体を撮像する撮像時には、クイックリターンミラー１１は、回動により撮影光路外に退避する。そして、被写体からカメラボディ１００に入射された被写体光は、撮像部１４に導かれる。
【００２８】
撮像部１４は、例えば、ＣＣＤ（Ｃｈａｒｇｅ  Ｃｏｕｐｌｅｄ  Ｄｅｖｉｃｅ）型又はＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型のイメージセンサである。撮像部１４は、撮影光学系５１が結像した被写体像を撮像して画像信号を出力する。
【００２９】
信号処理部１５は、撮像部１４が出力する画像信号に対してアナログ信号処理を施すアナログフロントエンド回路（ＡＦＥ）と、そのＡＦＥでアナログ信号処理が施された画像信号に対して、デジタル信号処理を施すデジタルフロントエンド回路（ＤＦＥ）とを有する。信号処理部１５は、例えば、画像信号のゲイン調整やＡ／Ｄ変換などを行う。この信号処理部１５が出力する画像信号は、画像データとしてＲＡＭ１７に一時的に記録される。ＲＡＭ１７は、画像データを一時的に記録するフレームメモリとしての機能を有する。
【００３０】
画像処理部１６は、ＲＡＭ１７に記録されている画像データを読み出し、各種の画像処理（階調変換処理、輪郭強調処理、ホワイトバランス処理等）を施す。
【００３１】
ＲＯＭ１８は、電子カメラ１の制御を行うプログラムを予め記憶している不揮発性のメモリである。
【００３２】
表示モニタ１９は、例えば、撮影画像や電子カメラ１の操作メニュー等を表示する。表示モニタ１９には、液晶モニタ等を適宜選択して用いることができる。
【００３３】
記録Ｉ／Ｆ部２０には、着脱自在の記録媒体３０を接続するためのコネクタ（不図示）が形成されている。そして、記録Ｉ／Ｆ部２０は、ＣＰＵ２６からの指示により、そのコネクタに接続された記録媒体３０にアクセスして画像の記録処理を行う。この記録媒体３０は、例えば、不揮発性のメモリカードである。図１では、コネクタに接続された後の記録媒体３０を示している。
【００３４】
操作部２１は、電子カメラ１を操作するための指示入力を受け付ける。操作部２１は、例えば、図２で後述する電源ボタン２１ａ、十字キー２１ｂ等を有している。
【００３５】
レリーズ釦２２は、半押し操作と全押し操作（撮像動作開始）との指示入力とを受け付ける。
【００３６】
接眼検出部２３は、撮影者がファインダ１３を覗き込んだか否かを検出するセンサである。具体的には、接眼検出部２３は、発光素子及び受光素子（不図示）を有している。そして、発光素子から出射する光が撮影者の目で反射され、その反射した光が受光素子で検出される場合には、接眼検出部２３は、撮影者の接眼を検出することとなる。ＣＰＵ２６は、接眼検出部２３の検出結果に基づいて、第３アンテナ２５のアンテナ特性に影響を及ぼす障害物（撮影者自身）の有無を判定することができる。
【００３７】
なお、ファインダとして、電子ビューファインダ（ＥＶＦ：Ｅｌｅｃｔｒｉｃａｌ  Ｖｉｅｗ  Ｆｉｎｄｅｒ）を採用しても良い。この場合、接眼検出部２３は、撮影者の接眼を検出すると、例えばＥＶＦのバックライトをオンにする。また、撮影者の接眼を検出しなくなると、ＥＶＦのバックライトをオフにする。これにより、接眼検出部２３は、ＥＶＦのバックライトのオンオフの機能と、第３アンテナ２５のアンテナ特性に影響を及ぼす障害物（撮影者自身）の検出機能を兼用することができる。
【００３８】
無線通信回路２４は、第１アンテナ５２と第２アンテナ５３と第３アンテナ２５との少なくとも何れかを選択して外部の機器と通信を行うための回路である。無線通信回路２４は、例えば、無線通信でデータのやりとりをする無線ＬＡＮ（Ｌｏｃａｌ  Ａｒｅａ  Ｎｅｔｗｏｒｋ）を実現させるための通信インターフェースを備える。また、無線通信回路２４は、無線の電波の受信状態を示すアンテナ感度を計測する機能を有する。
【００３９】
ＣＰＵ２６は、電子カメラ１の制御を行うプロセッサである。ＣＰＵ２６は、電子カメラ１の各部の制御等を行う。例えば、ＣＰＵ２６は、第１センサ５５及び第２センサ５６の少なくとも一方から出力された信号の出力値を用いて、第１アンテナ５２及び第２アンテナ５３の少なくとも一方を選択して通信に必要な制御を行う。或いは、ＣＰＵ２６は、第１センサ５５と第２センサ５６と接眼検出部２３との少なくとも何れかから出力された信号の出力値を用いて、第１アンテナ５２と第２アンテナ５３と第３アンテナ２５との少なくとも何れかを選択して通信に必要な制御を行っても良い。
【００４０】
具体的には、ＣＰＵ２６は、先ず、各センサの信号の出力値に応じて、アンテナ特性に影響を与える障害物等があるか否かを判定する。続いて、ＣＰＵ２６は、障害物がないと判定されたアンテナのアンテナ感度を無線通信回路２４に計測させる。さらに、ＣＰＵ２６は、アンテナ感度の１番良いアンテナを選択する。そして、ＣＰＵ２６は、例えば、選択したアンテナを用いて無線通信回路２４を介して無線ＬＡＮの通信に必要な制御を行う（詳細は、図４に示すフローチャートを用いて後述する）。
【００４１】
次に各センサ及び各アンテナの配置について説明する。図２は、電子カメラ１の筐体の正面図及び背面図である。図２（ａ）は、電子カメラ１の筐体の正面図である。レンズ鏡筒５０は、撮影光学系５１を囲む円筒部分と、その円筒部分の端面とを有し、第１センサ５５と第２センサ５６とは、図２（ａ）に示すレンズ鏡筒５０の端面５０ａに備えられている。ここでは、レンズ鏡筒５０の端面５０ａは、撮影光学系５１を囲む円筒部分の両端のうち、被写体に対向する側の面をいう。なお、端面５０ａは、レンズ鏡筒５０の被写体側の部分の一例に相当する。
【００４２】
また、この電子カメラ１の筐体の上面には、レリーズ釦２２とファインダ１３とが備えられている。
【００４３】
図２（ｂ）は、電子カメラ１の筐体の背面図である。電子カメラ１の筐体の背面には、表示モニタ１９と、電源ボタン２１ａと、十字キー２１ｂとが備えられている。また、ファインダ１３の背面には、撮影者が覗き込むためのファインダ窓１３ａと接眼検出部２３とが備えられている。十字キー２１ｂは、電子カメラ１の操作メニューの設定条件を選択若しくは実行する操作キーである。なお、電子カメラ１の筐体内において、ファインダ１３の近傍に第３アンテナ２５が備えられている。ここで、ファインダ１３の近傍とは、撮影者がファインダ窓１３ａを覗き込んだときに、第３アンテナ２５のアンテナ特性に影響を与える位置であって、例えば、ファインダ１３から数ｃｍ程度の範囲内の距離である。この程度の距離であれば、接眼検出部２３が撮影者の接眼を検出した場合、ＣＰＵ２６は、アンテナ特性に影響を与える障害物の有無を確実に判定することができる。
【００４４】
図３は、電子カメラ１の筐体の平面図である。ここで、第１センサ５５は、第１アンテナ５２の近傍に備えられている。また、第２センサ５６は、第２アンテナ５３の近傍に備えられている。
【００４５】
なお、第１アンテナ５２の近傍とは、第１アンテナ５５を覆う手を第１センサ５５で検出できる位置であって、例えば、第１アンテナ５２から数ｃｍ程度の範囲内の距離である。また同様にして、第２アンテナ５３の近傍とは、第２アンテナ５３を覆う手を第２センサ５６で検出できる位置であって、例えば、第２アンテナ５３から数ｃｍ程度の範囲内の距離である。この程度の距離であれば、ＣＰＵ２６は、各々のセンサの検出結果に基づいて、アンテナ特性に影響を与える障害物の有無を確実に判定することができる。
【００４６】
次に、本実施形態における電子カメラ１の動作の一例を説明する。なお、本実施形態で説明する無線通信モードは、一例として、電子カメラ１で撮影した静止画像（撮影画像）や撮影に必要な情報を外部の機器へ送信するモードである。この無線通信モードでは、電子カメラ１は、例えば、外部の無線ＬＡＮのアクセスポイント（不図示）に静止画像の画像データを無線送信する。続いて、無線ＬＡＮのアクセスポイントで受信された静止画像の画像データは、例えば、インターネットを介して画像データを管理する管理サーバ（不図示）に送信される。なお、画像データとしては、例えば、Ｅｘｉｆ（Ｅｘｃｈａｎｇｅａｂｌｅ  Ｉｍａｇｅ  Ｆｉｌｅ  Ｆｏｒｍａｔ）形式の画像データであって良い。これにより、撮影に必要な情報等は、Ｅｘｉｆファイルの所定の領域に書き込まれる。
【００４７】
図４は、電子カメラ１の動作の一例を示すフローチャートである。説明の便宜上、ここでは、静止画像が既に記録媒体３０に記録されていることを前提とする。操作部２１の十字キー２１ｂが無線通信モードの指示入力を受け付けた場合、ＣＰＵ２６は、図４に示すフローチャートの処理を開始させる。
【００４８】
ステップＳ１０１：ＣＰＵ２６は、無線通信を行う無線機能がオンに設定されたか否かを判定する。無線機能がオンに設定されていない場合（ステップＳ１０１：Ｎｏ）、ＣＰＵ２６は、無線機能がオンに設定されるまでステップＳ１０１の処理を繰り返す。一方、無線機能がオンに設定されている場合（ステップＳ１０１：Ｙｅｓ）、ＣＰＵ２６は、ステップＳ１０２に移行する。
【００４９】
ステップＳ１０２：ＣＰＵ２６は、第１センサ５５（照度センサ）の検出結果に基づいて、第１アンテナ５２の特性に影響を及ぼす障害物が検出できたか否かを判定する。このとき、ＣＰＵ２６は、レンズ側ＣＰＵ５４に対して第１センサ５５の検出結果の送信を指示する。レンズ側ＣＰＵ５４は、第１センサ５５（照度センサ）の検出結果をＣＰＵ２６に送信する。
【００５０】
ここで、ＣＰＵ２６は、例えば信号の出力値が予め設定した基準の値以上の場合、第１アンテナ５２の特性に影響を及ぼす障害物が存在しない（撮影者の手等の障害物なし）と判定する（ステップＳ１０２：Ｙｅｓ）。この場合、ＣＰＵ２６は、ステップＳ１０３に移行する。なお、フローチャートには図示していないが、ＣＰＵ２６は、ステップＳ１１０に移行しても良い。この場合、ＣＰＵ２６は、第１アンテナ５２を選択して無線通信を開始する。これにより、ＣＰＵ２６は、アンテナの選択処理での所用時間及び消費電力をより抑制することができる。
【００５１】
また、ＣＰＵ２６は、例えば信号の出力値が予め設定した基準の値未満（出力値がゼロも含む）の場合、第１アンテナ５２の特性に影響を及ぼす障害物が存在する（障害物あり）と判定する（ステップＳ１０２：Ｎｏ）。この場合、ＣＰＵ２６は、後述するステップＳ１０４に移行する。これにより、ＣＰＵ２６は、アンテナ感度が良くないと推定されるアンテナに対して、アンテナ感度のチェックをしないで済む。
【００５２】
ステップＳ１０３：ＣＰＵ２６は、無線通信回路２４に第１アンテナ５２のアンテナ感度を計測させる。そして、ＣＰＵ２６は、アンテナ感度の計測値をＲＡＭ１７に一時的に記録する。
【００５３】
ステップＳ１０４：ＣＰＵ２６は、第１センサ５５の場合と同様に、第２センサ５６の検出結果に基づいて、第２アンテナ５３の特性に影響を及ぼす障害物が検出できたか否かを判定する。ＣＰＵ２６は、第２アンテナ５３の特性に影響を及ぼす障害物が存在しない（障害物なし）と判定した場合（ステップＳ１０４：Ｙｅｓ）、ステップＳ１０５に移行する。
【００５４】
一方、ＣＰＵ２６は、検出結果に基づいて、第２アンテナ５３の特性に影響を及ぼす障害物が存在する（障害物あり）と判定した場合（ステップＳ１０４：Ｎｏ）、後述するステップＳ１０６に移行する。
【００５５】
ステップＳ１０５：ＣＰＵ２６は、無線通信回路２４に第２アンテナ５３のアンテナ感度を計測させる。そして、ＣＰＵ２６は、アンテナ感度の計測値をＲＡＭ１７に一時的に記録する。
【００５６】
ステップＳ１０６：ＣＰＵ２６は、接眼検出部２３の検出結果を検出する。ＣＰＵ２６は、検出結果に基づいて、第３アンテナ２５の特性に影響を及ぼす障害物が存在するか否かを判定する。ＣＰＵ２６は、第３アンテナ２５の特性に影響を及ぼす障害物が存在しない（障害物なし）と判定した場合（ステップＳ１０６：Ｙｅｓ）、ステップＳ１０７に移行する。一方、ＣＰＵ２６は、第３アンテナ２５の特性に影響を及ぼす障害物が存在する（障害物あり）と判定した場合（ステップＳ１０６：Ｎｏ）、後述するステップＳ１０８に移行する。
【００５７】
ステップＳ１０７：ＣＰＵ２６は、無線通信回路２４に第３アンテナ２５のアンテナ感度を計測させる。そして、ＣＰＵ２６は、アンテナ感度の計測値をＲＡＭ１７に一時的に記録する。
【００５８】
ステップＳ１０８：ＣＰＵ２６は、第１センサ５５、第２センサ５６及び接眼検出部２３の検出結果に基づいて、全てのアンテナの近傍にアンテナ特性に影響を及ぼす障害物がありと判定した場合（ステップＳ１０８：Ｙｅｓ）、ステップＳ１１２に移行する。この場合、ＣＰＵ２６は、例えば、表示モニタ１９に警告表示を行い（ステップＳ１１２）、図４に示すフローチャートの処理を終了させる。或いは、フローチャートには図示していないが、ＣＰＵ２６は、ステップＳ１０８のＹｅｓ側から再度、ステップＳ１０２に戻って処理をやり直しても良い。
【００５９】
一方、ＣＰＵ２６は、アンテナ特性に影響を及ぼす障害物がないと推定されるアンテナが１つ以上ある場合（ステップＳ１０８：Ｎｏ）、ステップＳ１０９に移行する。
【００６０】
ステップＳ１０９：ＣＰＵ２６は、ＲＡＭ１７に記録したアンテナ感度の計測値に基づいて、アンテナ感度が一番良いアンテナを選択する。なお、上記の障害物がないと推定されるアンテナが１つの場合、ＣＰＵ２６は、そのアンテナを選択する。
【００６１】
ステップＳ１１０：ＣＰＵ２６は、無線通信回路２４を介して選択したアンテナを用いて、外部の無線ＬＡＮのアクセスポイントに画像データを無線送信する。
【００６２】
ステップＳ１１１：ＣＰＵ２６は、無線通信が完了したか否かを判定する。無線通信が完了していない場合（ステップＳ１１１：Ｎｏ）、ＣＰＵ２６は、アンテナ感度を再度確認するため、所定時間経過する毎にステップＳ１０２に戻る。一方、無線通信が完了した場合（ステップＳ１１１：Ｙｅｓ）、ＣＰＵ２６は、図４に示すフローチャートの処理を終了させる。
【００６３】
以上、本実施形態の電子カメラ１では、アンテナ特性に影響を及ぼすおそれのあるアンテナについてアンテナ感度を計測しないため、アンテナの選択処理での所用時間及び消費電力を抑制することができる。そして、ＣＰＵ２６は、アンテナ感度が一番良いアンテナを選択するため、良好な無線通信を行える。
【００６４】
なお、本実施形態では、第１アンテナ５２、第２アンテナ５３及び第３アンテナ２５の３本のアンテナを用いて説明したが、これは一例であって、第１アンテナ５２、第２アンテナ５３の２本のアンテナでも良く、少なくとも一方のアンテナがレンズ鏡筒５０に備えられていれば良い。この場合、第１アンテナ５２及び第２アンテナ５３の少なくとも一方は、カメラボディ１００に備えられていることが好ましい。さらに、第１アンテナ５２及び第２アンテナ５３の少なくとも一方は、ファインダ１３の近傍に備えられることが好ましい。そして、第１センサ５５及び第２センサ５６の少なくとも一方は、接眼検出部２３であることが好ましい。
【００６５】
２本以上のアンテナを用いることで、ＣＰＵ２６は、アンテナ感度の良い方のアンテナを選択することができるからである。
【００６６】
（第１変形例）
次に、第１変形例について説明する。本実施形態では、アンテナに近接する物体を検出するセンサとして照度センサ（光量検出センサ）を採用したが、これは一例であって、例えば、圧力を検出する圧力センサ、或いは、静電容量を検出する静電容量センサであっても良い。すなわち、アンテナに近接する物体を検出するセンサは、照度センサ、圧力センサ、静電容量センサのうち少なくとも１つであれば良い。ただし、ＣＰＵ２６は、圧力センサや静電容量センサを用いた場合、信号の出力値が予め設定した値以上であると障害物ありと判定することとする。
【００６７】
図５は、第１変形例における電子カメラ１の筐体の正面図である。第１アンテナ５７及び第２アンテナ５８の少なくとも一方は、レンズ鏡筒５０の端面５０ａに備えられれば良く、図５では、第１アンテナ５７と第２アンテナ５８とが間隔を隔てて備えられている。
【００６８】
また、図５に示す通り、第１アンテナ５７を図中上下に挟むようにして、第１センサ５９ａと第１センサ５９ｂが備えられている。ここで、第１センサ５９ａ及び第１センサ５９ｂは、例えば、圧力センサである。圧力センサは、撮影者の手の指等が接触した場合の圧力を検出する。
【００６９】
また、第２アンテナ５８を図中上下に挟むようにして、第２センサ６０ａと第２センサ６０ｂが備えられている。ここで、第２センサ６０ａ及び第２センサ６０ｂは、例えば、静電容量センサである。静電容量センサは、静電容量の変化によって撮影者の手の指等の接触を検出する。図５では、圧力センサと静電容量センサとの組み合わせを例示しているが、これは一例であって、照度センサと圧力センサとの組み合わせであっても良い。
【００７０】
以上より、ＣＰＵ２６は、各々のセンサの検出結果に基づいて、アンテナ感度が良い方のアンテナを選択して、無線通信を行うことができる。
【００７１】
（第２変形例）
次に、第２変形例について説明する。図６は、第２変形例における電子カメラ１の筐体の側面図である。例えば、第１アンテナ６３（第２アンテナ６４）は、レンズ鏡筒５０の円筒部分５０ｂの外表面に設けられている。さらに、第１センサ６１（第２センサ６２）は、レンズ鏡筒５０の円筒部分５０ｂの外表面において、第１アンテナ６３（第２アンテナ６４）の外周に沿って環状に配置されていることが好ましい。これは、第１センサ６１及び第２センサ６２の検出結果を反映させやすくなるからである。
【００７２】
また、例えば、第１センサ６１は、第１アンテナ６３に近接（又は隣接）して設けられ、第２センサ６２は、第２アンテナ６４に近接（又は隣接）して設けられていることが好ましい。これは、第１センサ６１及び第２センサ６２の検出結果を反映させやすくなるからである。
【００７３】
（第３変形例）
次に、第３変形例について説明する。図７は、第３変形例を説明する図である。第３変形例では、撮影光学系を操作するために操作方向に移動可能な操作部材を有し、第１アンテナ７５及び第２アンテナ７７は、操作部材の操作方向に沿って間隔を隔てて備えられている。操作部材は、例えば、レンズ鏡筒に設けられたズーム操作環やフォーカス操作環である。操作部材の操作方向は、例えば、レンズ鏡筒の円周方向（光軸を中心とする回転方向）である。具体的に図７を用いて説明する。
【００７４】
図７（ａ）は、レンズ鏡筒７０の右側面図であってワイド状態を示す図である。図７（ｂ）は、レンズ鏡筒７０の左側面図であってテレ状態を示す図である。
【００７５】
レンズ鏡筒７０は、直進筒７１、ズーム操作環７２及び固定筒７３を有する。直進筒７１は、光軸に沿って前後に進退する。また、操作環７２は、直進筒７１を前後に進退させる。具体的には、撮影者によってズーム操作環７２が回転操作されると、直進筒７１は、光軸に沿って移動する。このズーム操作環７２の外周には伸縮性を有するゴム製のリングがカバー部材として備えられている。また、第１アンテナ７５と第２アンテナ７７とは、操作環７２の操作方向に沿って間隔を隔てて備えられている。さらに、第１アンテナ７５の外周に沿って環状に第１センサ７４が配置されており、第２アンテナ７７の外周に沿って環状に第２センサ７６が配置されている。第１センサ７４及び第２センサ７６は、例えば、圧力センサである。図７では、説明の便宜上、各アンテナと各センサとがゴム製のリングの表面に描かれているが、実際には、ゴム製のリングの内側であってズーム操作環７２の表面に備えられていることとする。
【００７６】
以上より、撮影者がズーム操作環７２を操作する場合、ＣＰＵ２６は、一方のアンテナが手で覆われても他方のアンテナを用いて例えば無線ＬＡＮ等の無線通信を行うことができる。
【００７７】
（第４変形例）
次に、本発明の第４変形例について説明する。図８は、第４変形例を説明する図である。第４変形例では、撮影状態を確認するための指標を表示する表示部８１をレンズ鏡筒８０の外周面に有する。
【００７８】
また、第１アンテナ８２、第２アンテナ８３及び第３アンテナ８４は、表示部８１に沿って備えられている。さらに、第１アンテナ８２の近傍に第１センサ８５、第２アンテナ８３の近傍に第２センサ８６、第３アンテナ８４の近傍に第３センサ８７が備えられている。第１センサ８５、第２センサ８６及び第３センサ８７は、照度センサ、圧力センサ、静電容量センサの何れであっても良い。
【００７９】
ＣＰＵ２６は、各々のセンサの検出結果に基づいて、アンテナ感度が一番良いアンテナを選択する。
【００８０】
以上より、撮影者がレンズ鏡筒８０を操作する場合、第１アンテナ８２、第２アンテナ８３及び第３アンテナ８４の何れかのアンテナの近傍にあるセンサが手で覆われても、ＣＰＵ２６は、他のアンテナを用いて無線通信を行うことができる。
【００８１】
（第５変形例）
次に、第５変形例について説明する。図９は、第５変形例を説明する図である。第５変形例では、いわゆるバリアングル機構を有する表示部の展開状態に応じて、アンテナの状態を判定する。
【００８２】
図９は、第５変形例を説明する図である。図９（ａ）及び図９（ｂ）は、電子カメラ２の筐体の背面図である。なお、電子カメラ１と内部構成が同じ点については説明を省略し、差異点について説明する。電子カメラ２は、表示モニタ１９の代わりにバリアングル機構の表示モニタ３１及び表示モニタ３１を支持する金属製の筐体部３２を有し、接眼検出部２３の代わりに第３センサ２８が備えられている。ここで、第３センサ２８は、例えば照度センサである。
【００８３】
ここで、表示モニタ３１及び筐体部３２は、互いに直交する２つの回転軸を有するバリアングル機構を持つ連結部で電子カメラ２のカメラボディと連結されている。これにより、撮影者は、電子カメラ２を構えた体勢にあわせて表示モニタ３１の角度を例えば、図９（ａ）の状態から図９（ｂ）の状態へと変えることができる。
【００８４】
ここで、図９（ｂ）の状態であれば、ＣＰＵ２６は、第３センサ２８の検出結果に基づいて、他のアンテナを含めてアンテナ感度が一番良いアンテナを選択することができる。一方、図９（ａ）の状態であれば、筐体部３２と第３アンテナ２８との距離が近くなるため、ＣＰＵ２６は、第３センサ２８の検出結果に基づいて障害物ありと判定する。この場合は、筐体部３２が障害物となり第３センサ２８のアンテナ特性に影響を及ぼすことになるため、ＣＰＵ２６は、第３アンテナ２８の感度の計測を省略する。
＜実施形態の補足事項＞
（１）本実施形態において、例えば、第１アンテナ５２、第２アンテナ５３、第１センサ５５及び第２センサ５６は、電子カメラ１の装置の表面に備えられていることが望ましい。また、第１アンテナ５２、第２アンテナ５３は、無線通信の信号を透過する保護部材でシールドされていても良い。
（２）本実施形態では、無線ＬＡＮを用いて、外部の無線ＬＡＮのアクセスポイントに画像データを無線送信する例を挙げたが、これは一例であって、例えば、別の無線通信可能なカメラシステムを用いても良い。この場合、ＣＰＵ２６は、例えば、第１アンテナ５２、第２アンテナ５３を用いて、撮影した画像をカメラシステムから送信しても良いし、或いは、ＣＰＵ２６は、第１アンテナ５２、第２アンテナ５３を用いて、撮影した画像をカメラシステムから受信して記録媒体３０に記録しても良い。
（３）本実施形態の撮影装置には、例えば、電子カメラ、レンズ鏡筒を着脱可能な電子カメラ、レンズ鏡筒を着脱することができない電子カメラ、ビデオカメラ、カメラボディ、レンズ鏡筒、携帯電話を含む。
（４）本実施形態では、無線通信回路２４は、カメラボディ１００に内蔵させたが、レンズ鏡筒５０に内蔵させても良い。
（５）本実施形態では、複数のアンテナを有しているので、例えば、複数のアンテナでいわゆるダイバーシティアンテナを形成することにより、より速く通信状態を構築することができる。また、本実施形態では、複数のアンテナを有しているので、複数周波数帯のアンテナを容易に持つことができる。この場合、本実施形態では、通信を行いやすい周波数帯での通信を選択することにより、より良い通信状態を確保することができる。なお、図４のフローチャートのシーケンスには記載していないが、自機（電子カメラ１）及び通信相手が空間ダイバーシティ通信対応の無線機能を有している場合、空間ダイバーシティ通信に必要なアンテナのアンテナ感度が一定以上のとき、本実施形態では、空間ダイバーシティ通信を行っても良い。この場合、電子カメラ１内におけるアンテナ同士の間隔は、無線通信に用いる波長（λ）の１／２λ以上離れていることが好ましい。
（６）本実施形態で図示した各アンテナや各センサの形状は一例であって、図示した形状に限定されるものではない。
【符号の説明】
【００８５】
１、２・・・電子カメラ、１３・・・ファインダ、５２、５７、６３、７５、８２・・・第１アンテナ、５３、５８、６４、７７、８３・・・第２アンテナ、５５、５９ａ、５９ｂ、６１、７４・・・第１センサ、５６、６０ａ、６０ｂ、６２、７６・・・第２センサ、２３・・・接眼検出部、２６・・・ＣＰＵ、５０、７０・・・レンズ鏡筒、１００・・・カメラボディ
【図１】
2011091633.tif 000003
【図２】
2011091633.tif 000004
【図３】
2011091633.tif 000005
【図４】
2011091633.tif 000006
【図５】
2011091633.tif 000007
【図６】
2011091633.tif 000008
【図７】
2011091633.tif 000009
【図８】
2011091633.tif 000010
【図９】
2011091633.tif 000011